(57)【要約】      （修正有）【課題】携帯機と車載機との間の双方向通信を行うキーレス装置において、シートウォーマ近傍のノイズに起因する通信不良を低コストで解消する。【解決手段】コンデンサまたはコイルを含む構成による高周波電流注入回路６によって、車載機４のキーレス制御ユニット１からの高周波電流の一部をシートウォーマ３の熱線３１に注入することにより、シート７の近傍に補助通信磁界が形成される。【効果】シートに携帯機を置いたときでも、ノイズに妨害されることなく、携帯機と車載機との間の双方向通信が可能になる。【選択図】図１
2008081996.tif 000002
【特許請求の範囲】
【請求項１】
乗員が携帯すると共に、記憶している認証コードを送信する携帯機と、
少なくとも車室内に存在する前記携帯機に対する通信磁界をアンテナによって生成すると共に、前記通信磁界を受けた前記携帯機からの認証コードを受信して、その認証コードの認証を行うことにより前記携帯機が正規であるか否かを判定しかつ、その正規判定時には所定の制御を実行する車載機と、
前記車室内のシートに内蔵されかつ、直流電源に接続された熱線を有するシートウォーマと、
前記車載機と前記シートウォーマとの間に介在して、前記アンテナにより通信磁界を生成するための高周波電流の一部を、前記シートウォーマの熱線に注入する高周波電流注入回路と、を備えている車両のキーレス装置。
【請求項２】
請求項１に記載のキーレス装置において、
前記高周波電流注入回路は、前記シートウォーマからの直流成分を遮断しつつ、前記シートウォーマの熱線に前記高周波電流を注入するキーレス装置。
【請求項３】
請求項２に記載のシステムにおいて、
前記高周波電流注入回路は、コンデンサを含むキーレス装置。
【請求項４】
請求項２に記載のキーレス装置において、
前記高周波電流注入回路は、前記熱線に対して巻回されたコイルを含むキーレス装置。
【発明の詳細な説明】
【技術分野】
【０００１】
本発明は、車両のキーレス装置に関する。
【背景技術】
【０００２】
例えば特許文献１には、乗員が携帯する携帯機と、車両に搭載された車載機とを含むキーレス装置が開示されている。この装置は、車載機のアンテナによって通信磁界（ＬＦ信号）を生成し、その通信磁界を受けた携帯機は識別コードを送信する。識別コードは車載機が受信すると共に、その認証を行い、前記携帯機が正規の携帯機であると判定した時には、車両のドアのロック／アンロック及び、イグニッションのオン／オフを許可する等の制御を実行する。このキーレス装置では、例えば携帯機の車外持ち出し警報等も、前記車載機と携帯機との間の双方向通信によって行っている。
【特許文献１】特開２００２−１９４９３７号公報
【発明の開示】
【発明が解決しようとする課題】
【０００３】
ところで、車室内のシートに熱線が内蔵されたシートウォーマを備えた車両においては、各種の車両電装品のノイズが前記シートウォーマの電源ラインに重畳し、熱線内蔵シートの近傍にノイズ磁界が形成される場合がある。
【０００４】
この場合において、前記キーレス装置の携帯機を、例えばシートの上に置いたりしたときには、車載機と携帯機との間の通信が、前記ノイズ磁界によって妨害されてしまい、イグニッションのオン制御や、携帯機の車外持ち出し警報制御等が誤作動してしまう虞がある。
【０００５】
こうした不都合を解消するために、例えば、車載機側のアンテナを数を増やして、ノイズに打ち勝つ通信磁界を生成したり、各種の車両電装品のノイズを低減させたりする対策が考えられる。しかしながらこれらの対策は、大幅なコストの増大を招くことになる。また、例えばフィルターを設けることによってシートウォーマの電源ラインに重畳するノイズを除去することも考えられるが、この対策は、コストの増大と共に、フィルターが大型である故に、そのレイアウト上の制約をも考慮しなければならなくなる。
【０００６】
本発明は、かかる点に鑑みてなされたものであり、その目的とするところは、携帯機と車載機との間の双方向通信を行うキーレス装置において、シートウォーマ近傍のノイズに起因する通信不良を低コストで解消することにある。
【課題を解決するための手段】
【０００７】
本発明の一側面によると、キーレス装置は、乗員が携帯すると共に、記憶している認証コードを送信する携帯機と、少なくとも車室内に存在する前記携帯機に対する通信磁界をアンテナによって生成すると共に、前記通信磁界を受けた前記携帯機からの認証コードを受信して、その認証コードの認証を行うことにより前記携帯機が正規であるか否かを判定しかつ、その正規判定時には所定の制御を実行する車載機と、前記車室内のシートに内蔵されかつ、直流電源に接続された熱線を有するシートウォーマと、前記車載機と前記シートウォーマとの間に介在して、前記アンテナにより通信磁界を生成するための高周波電流の一部を、前記シートウォーマの熱線に注入する高周波電流注入回路と、を備える。
【０００８】
この構成によると、車載機によって生成された通信磁界を携帯機が受けたときには、その携帯機から認証コードが送信される。送信された認証コードは、車載機によって受信されて、その認証が行われると共に、携帯機が正規であるときには所定の制御（例えば、エンジン始動や、携帯機の車外持ち出し警報等）が行われる。
【０００９】
そして、前記高周波電流注入回路が、車載機からの高周波電流の一部をシートウォーマの熱線に注入することで、熱線に通信磁界生成用の電流が重畳され、熱線内蔵シートの近傍に通信磁界が形成される。
【００１０】
これによって、ノイズがシートウォーマの電源ラインに重畳していたとしても、これに打ち勝つ通信磁界が熱線内蔵シートの近傍に形成されることで、携帯機をそのシート上に置いたとしても、携帯機は通信磁界を受けることができ、車載機との間の双方向通信が可能になる。
【００１１】
このように、各種車両電装品のノイズ対策を行うのではなく、単にシートウォーマの熱線に高周波電流を注入することにより通信不良を解消するため、コストの増大が抑制される。
【００１２】
前記高周波電流注入回路は、前記シートウォーマからの直流成分を遮断しつつ、前記シートウォーマの熱線に前記高周波電流を注入する、とすればよい。
【００１３】
シートウォーマは直流電源からの直流電流によって作動するため、シートウォーマから車載機への直流成分は遮断しつつ、シートウォーマの熱線に車載機からの高周波電流を注入することで、前述したように、熱線内蔵シートの近傍に通信磁界を形成することが実現する。
【００１４】
ここで、前記高周波電流注入回路は、コンデンサを含む、としてもよい。コンデンサは、直流成分は遮断する一方、交流成分は通過するため、前述の構成が容易に実現する。
【００１５】
また、前記高周波電流注入回路は、前記熱線に対して巻回されたコイルを含む、としてもよい。この構成により、車載機とシートウォーマとは直接接続されないため、シートウォーマから車載機への直流成分は遮断しつつ、コイルのインダクタンスにより、車載機からの高周波電流は熱線に注入され、前述の構成が容易に実現する。
【発明の効果】
【００１６】
以上説明したように、本発明によると、高周波電流注入回路が、車載機からの高周波電流をシートウォーマの熱線に注入し、それによって、熱線内蔵シートの近傍に通信磁界を形成して携帯機と車載機との間の双方向通信を可能にするため、低コストで、通信不良を解消することができる。
【発明を実施するための最良の形態】
【００１７】
以下、本発明の実施形態を図面に基づいて説明する。尚、以下の好ましい実施形態の説明は、本質的に例示に過ぎず、本発明、その適用物或いはその用途を制限することを意図するものではない。
【００１８】
図１は本発明の実施形態に係る車両のキーレス装置の概略構成を示している。本装置において、符号１は、キーレス装置全体の制御を行うキーレス制御ユニットであり、このキーレス制御ユニット１に対して、コイルアンテナ２１、レシーバ２２がそれぞれ接続されて、各機器２１，２２に対し信号が入出力される。
【００１９】
前記コイルアンテナ２１は、後述する携帯機５に対して、ＬＦ信号を出力するアンテナであり、図１では一つのみ示しているが、車両の左右外側方、後方、及び車室内のそれぞれにおいて通信磁界が形成されるように、所定の複数の位置にそれぞれ配設されている。
【００２０】
前記レシーバ２２は、前記ＬＦ信号を受信した携帯機５から送信されるＵＨＦ帯の電波（通信電波）を受信し、それをキーレス制御ユニット１に出力する。
【００２１】
そうして、前記キーレス制御ユニット１、コイルアンテナ２１、及びレシーバ２２によって車載機４が構成されている。
【００２２】
前記携帯機５は、乗員が携帯するものであって、その携帯機本体５１内には、図示は省略するが、前記コイルアンテナ２１からのＬＦ信号を受信しかつ、前記レシーバ２２に対しＵＨＦ帯の信号を送信する送受信機が内蔵されている。この携帯機５には認証コードが記憶されており、前記送受信機はその認証コードを車載機４に対して送信する。
【００２３】
前記構成のキーレス装置における動作について簡単に説明する。先ず、携帯機５を携帯した乗員が車両のドアに取り付けられたリクエストスイッチ（図示省略）の操作を行ったときには、コイルアンテナ２１からのＬＦ信号を受けて、携帯機５の送受信機が記憶している認証コードを送信する。その認証コードはレシーバ２２によって受信されて、キーレス制御ユニット１に出力される。
【００２４】
キーレス制御ユニット１は、認証コードの認証を行うことによりその携帯機５が正規であるか否かを判定する。その結果、正規であるときには、キーレス制御ユニット１がドアをアンロック／ロックする。
【００２５】
次に、携帯機５を携帯した乗員が車室内に設けられたイグニッションスイッチ（図示省略）の操作を行ったときには、コイルアンテナ２１からのＬＦ信号を受けて、携帯機５の送受信機が記憶している認証コードを送信する。その認証コードはレシーバ２２によって受信されて、キーレス制御ユニット１に出力される。
【００２６】
キーレス制御ユニット１は、認証コードの認証を行うことによりその携帯機５が正規であるか否かを判定する。その結果、正規であるときには、キーレス制御ユニット１は、エンジンを始動させる。
【００２７】
また、イグニッションオンの状態では、車載機４と携帯機５との間の双方向通信を定期的に行うことによって携帯機５が車室内に存在しているか否かを判断し、その結果、乗員が携帯機５を車外に持ち出そうとしたときには、前記キーレス制御ユニット１は乗員に対する警報を行う。
【００２８】
そして、図１に示すように、本キーレス装置搭載の車両には、その車室内のシート（シートクッション）７にシートウォーマ３が取り付けられている。このシートウォーマ３は、シート７に内蔵された熱線３１と、この熱線が接続される直流電源回路（シートウォーマ電源回路）３２とを備えており、シートウォーマ３の作動時は、シートウォーマ電源回路３２からの直流電流によって熱線が発熱する。
【００２９】
ここで、シートウォーマ３の作動時には、そのシートウォーマ電源回路３２からの電源ラインに、各種の車両電装品（図示省略）からのノイズ電流が重畳し、それによってシート７の近傍にノイズ磁界が生成される場合がある。その場合において、前記携帯機５をシート７の上に置いたときには、ノイズ磁界によって携帯機５がコイルアンテナ２１による通信磁界を受けることができず、キーレス制御ユニット１と携帯機５との間の通信ができなくなる場合がある。
【００３０】
そこで、本キーレス装置では、キーレス制御ユニット１とシートウォーマ３との間に、高周波電流注入回路６を介在させ、それによって熱線内蔵のシート７の近傍に、補助通信磁界を生成している。
【００３１】
具体的に前記高周波電流注入回路６は、キーレス制御ユニット１とコイルアンテナ２１との間の、キーレス制御ユニット１からコイルアンテナ２１に対しＬＦ信号出力のための高周波電流を出力するためのラインと、熱線３１とシートウォーマ電源回路３２との間の、シートウォーマ電源回路３２から熱線３１に対し直流電流を出力するためのラインと、のそれぞれに接続され、それによって、シートウォーマ３からキーレス制御ユニット１への直流電流を遮断しつつ、キーレス制御ユニット１からシートウォーマ３の熱線３１に前記高周波電流を注入する回路とされている。
【００３２】
こうした回路としては、例えば図２に示すように、コンデンサを含む回路とすればよい。こうすることで、シートウォーマ３からキーレス制御ユニット１への直流電流を遮断しつつ、キーレス制御ユニット１からシートウォーマ３の熱線３１に前記高周波電流を注入することが実現する。
【００３３】
この構成によって、シートウォーマ３を作動させたときには、キーレス制御ユニット１から高周波電流注入回路６を介してシートウォーマ３の熱線３１に、ＬＦ信号出力のための高周波電流の一部が注入される。それによって、熱線３１内蔵のシート７の近傍に通信磁界（補助通信磁界）が形成される。この補助通信磁界に、ノイズに打ち勝つだけの強度を持たせることによって、シート７の上に携帯機５を置いたときでも、携帯機５は補助通信磁界（ＬＦ信号）を受けることができる。そうして、携帯機５はＵＨＦ帯の電波を出力することになり、車載機４と携帯機５との間の双方向通信が行い得る。
【００３４】
このように、コンデンサを含む高周波電流注入回路６を、キーレス制御ユニット１とシートウォーマ３との間に介在させるだけであるため、車載機４と携帯機５との間の通信不良を、低コストで解消することができる。
【００３５】
尚、高周波電流注入回路６は、コンデンサを含む構成に限らず、例えば図３に示すように、熱線３１を巻回するコイルを含む構成としてもよい。この構成では、熱線３１とコイルとは直接には接続されていないため、シートウォーマ３からキーレス制御ユニット１への直流電流は遮断される一方で、コイルのインダクタンスによってキーレス制御ユニット１からシートウォーマ３の熱線３１に前記高周波電流を注入することが実現する。従って、熱線３１内蔵のシート７の近傍に補助通信磁界が形成され、前記と同様に、車載機４と携帯機５との間の通信不良を、低コストで解消することができる。
【産業上の利用可能性】
【００３６】
以上説明したように、本発明は、車載機と携帯機との間の通信不良を低コストで解消することができるため、車両のキーレス装置として有用である。
【図面の簡単な説明】
【００３７】
【図１】実施形態に係るキーレス装置の構成図である。
【図２】高周波電流注入回路をコンデンサを含む回路として構成した場合のキーレス装置の一部の構成図である。
【図３】高周波電流注入回路をコイルを含む回路として構成した場合のキーレス装置の一部の構成図である。
【符号の説明】
【００３８】
１  キーレス制御ユニット
３  シートウォーマ
３２  シートウォーマ電源回路（直流電源）
３１  熱線
４  車載機
５  携帯機
６  高周波電流注入回路
７  シート
【図１】
2008081996.tif 000003
【図２】
2008081996.tif 000004
【図３】
2008081996.tif 000005